(57)【要約】
【課題】切花５の吸水性に優れた吸水花器１を提供する。
【解決手段】水槽２と、水槽上蓋３と、前記上蓋３下の水槽２の水１１中に没する部分と前記上蓋３上の大気に突出する部分からなり、かつ上蓋３を貫通している複数本の差し管４とからなる。
【選択図】図１
0003100985.tif 000002
【実用新案登録請求の範囲】
【請求項１】
水槽と、水槽上蓋と、前記上蓋下の水槽の水中に没する部分と前記上蓋上の大気に突出する部分からなり、かつ上蓋を貫通している複数本の差し管と、から構成されていることを特徴とする吸水花器。
【請求項２】
１本以上を束ねた切花の集合茎の径が前記差し管の内径より小さいことを特徴とする請求項１記載の吸水花器。
【請求項３】
水槽の水中に没している前記差し管の径方向であって、水槽の水が前記差し管の管内と管外とを往復するような連通孔を有することを特徴とする請求項１又は請求項２記載の吸水花器。
【請求項４】
前記水槽に水槽外から水を供給する手段を有することを特徴とする請求項１〜３のいずれか１項に記載の吸水花器。
【考案の詳細な説明】
【技術分野】
【０００１】
本考案は、吸水花器に関するものである。
【背景技術】
【０００２】
近年切花の消費は増えている。例えば、図３、４は従来の花器５１に切花５２が挿入されている図である。図３、４は、１本の切花５２が挿入されているが、１本に限らず、複数本であっても良いのは当然である。なお、図４は、所謂「つるくび」と称される上部が細くなった花器５１である。いずれも、花器５１の底の部分に溜まっている水分を切花が
自己の生命力により吸い上げている。花器５１の上部の開口端近傍が細くなっていることにより、前記溜まった水分の蒸発、並びに切花、花器の倒れの各防止等の役目を担っている。
【０００３】
すなわち、いきいきと長く切花を消費するために、植物生理に基づいた養分を含む水等の入った花器を用いたりして切花の無駄を省く工夫がされている。
従来、パルプ繊維を粒状に乾燥固体化した軟質多孔性の保存性媒体からの毛細管現象により、切花の生理作用による飛散によって消失する水分を補う装置等が報告されている（例えば、特許文献１参照。）。
また、毛細管現象を使って染み込む物の中へ切花を差込み、水分補給は別の器から補給している構成のものもある（例えば、特許文献２参照。）。
【０００４】
なお、切花を風雨や直射日光に晒される屋外に生ける場合には、屋内より厳しい条件に晒されるのは当然である。
【特許文献１】特開平８−１９１６２９号公報（第７頁、第４図）
【特許文献２】特開平８−３０８４０４号公報（第４頁、第１図）
【考案の開示】
【考案が解決しようとする課題】
【０００５】
しかしながら、従来の特許文献等に記載の花器には、染み込む物、たとえばパルプ繊維等の保存性媒体を使ったり、あるいは、花器自体の構造が図３、４とは違うような複雑なものであったりする欠点があった。さらに、そのような花器を使用しても、いきいきと十分に長期間切花を消費することができず、予想外の短期間に切花の交換が必要であった。
そこで、本考案は、上記問題点に鑑み、保存性媒体等を使用することなく、いきいきと十分に長期間切花を消費することができる切花の吸水性に優れた、水の毛細管現象を利用した構造の花器を提供するようにしたものである。
【課題を解決するための手段】
【０００６】
この技術的課題を解決するための本考案の技術的手段は、水槽と、水槽上蓋と、上蓋下の水槽の水中に没する部分と上蓋上の大気に突出する部分からなり、かつ上蓋を貫通している複数本の差し管とから構成されている点にある。
本考案にかかる花器は、「考案を実施するための最良の形態」中で説明する図５のように、毛管現象を利用した切花の吸水に優れた花器である。
また、本考案の技術的手段は、１本以上を束た切花の集合茎の径が前記差し管の内径より小さいことを特徴とする。切花の集合茎の径が前記差し管の内径より小さいことは、束ねた切花が、切花個々の茎を支えとして、差し管の内径内に広がっていることになる。
【０００７】
水槽の水中に没している差し管の径方向であって、水槽の水が差し管の管内と管外とを往復するような連通孔を有することが好ましい。
さらに、水槽に水槽外から水を供給する手段を有することを特徴とする。
【考案の効果】
【０００８】
本考案によれば、十分に長期間切花を消費することができる、切花の吸水性に優れた花器を提供することが可能となる。
【考案を実施するための最良の形態】
【０００９】
以下、本考案の実施の形態を図面に基づいて説明する。
図１は本考案の吸水花器１の実施の一形態を示す斜視図（スケッチ）である。角型の水槽２に、その水槽２の上端を覆うように、上蓋３が設けられている。水槽２には、所定の水面６まで、水１１が入っている。上蓋３を上下垂直に貫通するように、５本の（切花５）差し管４が水槽の長径に平行に設けられている。
上記上蓋３は、水槽２から脱着自在である。また、５本の差し管４の中央のものには、切花５が差し込まれている状況をスケッチしているが、他の４本に関しては、切花５が差し込まれている状況のスケッチは省略している。
【００１０】
この差し管４は、水槽中の水に没する部分と、水槽の水１１の水面６から突き出ている部分があって、その突き出ている部分は、上蓋３を貫通し、上蓋３の上に出て、上蓋３上の大気中に突出している。差し管４の下端８は、水槽２の底に接することなく、水１１が差し管４中を上昇できる間隔を前記底との間に有している。差し管４は、上蓋３に抜き差し自在に貫通しており、水槽２の底との間の間隔を設定できる。また、その間隔を保つように、差し管４と上蓋３とを接着テープ等において固定することができる。
なお、図２には、図１の差し管４のみを単独で取出して、示したものである。すなわち、この差し管４の上端７、下端８は、開放されている。従って、この差し管４が上記のように水槽中の水に没する部分があると、その没した部分の管内にも、当然のこととして水が浸入する。
【００１１】
そして、中央の差し管４のように、切花５の集合茎１２の径（図１の正面からは、５本の切花茎が見られる。なお、切花５長さを個々に違えて切花５の美観を出すことができる。）は、差し管４の内径に広がっており（それが通常の姿であるが、）、前記管４内の水分が、大気中に突き出た差し管４の上端７近傍まで、水が揚がっている。
この水槽２は、縦５０ｍｍ、横１５０ｍｍ、高さ６０ｍｍ、差し管４内径１５ｍｍ、長さ９０ｍｍのもので、水槽２中には、水面６高さ３５ｍｍまで水が満たされている。そして、差し管４の３０ｍｍが水１１に没している。水槽２、上蓋３、並びに差し管４は、いずれも厚さ１．５ｍｍのステンレスで作成されている。（従って、外から見えない部分は、図１の説明の必要から点線で示している。）
また、上記水槽２、差し管４等の大きさ等は、上記に限定されるものではなく、使用条件等により可変である。すなわち、本考案の吸水花器１は、図１の実施形態のような角型の水槽２の限ることなく、美観を施した形状であって、例えば丸型等にすることも自由である。
【００１２】
ところで、図５は、水１１中に差し管４を立てた時、その管内における水面６Ａが管外の水面６よりも挙がる毛管（毛細管）現象を説明したものである。
ここで、差し管４の内外の水面の高さの差をｈ、差し管４の半径をｒ、水１１の密度をρ、水１１の表面張力をγ、水１１と差し管４内壁との接触角θ、重力加速度ｇ、差し管４の内面積Ｓ、差し管４中の水面Ａ該当位置での上向き圧力ｐ、大気圧Ｐ、水１１の表面張力による差し管４内の水１１を吊り上げる力Ｆ、差し管４内の水１１の重さＷとすると、以下の1)、2)の式が成立する。
【００１３】
差し管４内の水１１を押し上げる力：ｐＳ＋Ｆ・・・・・・・・・1)
差し管４内の水１１を押し下げる力：ＰＳ＋Ｗ＝ＰＳ＋ρｇＳｈ・・・・・・・・・2)
ここで、1)＝2)、ｐ＝Ｐとしてｈを求めると、差し管４の内外の水面６、６Ａの高さの差ｈは、Ｆに比例しｒに反比例することとなる。
ところが、本考案の実施形態においては、2)式中のＳは、切花５の集合茎１２の径が差し管４の内径に広がっているため、極めて小さい値であることから、1)式中のＦとの関係から、ｈが大きい値となる。ｈが大きい値となることは、本考案の花器において、毛管現象による吸水が優れていることと対応している。
【００１４】
従来例の図５、６と、本考案の図２とを比較しても判るように、従来例では、水の毛管現象を利用するところが少なく、単に水に切花５の茎先端を浸漬しているに過ぎない。
本考案においては、１本以上を束ねた切花５の集合茎１２の隙間に沿って、水槽２中の水１１が上昇してくるのであるが、その上昇は切花５の各茎中にも水槽２の水１１の上昇力を与えている。
なお、上記計算式を待つまでもなく、本実施形態において、大気中に突き出た差し管４の上端７近傍まで、水が挙がってきており、本考案の花器１は極めて吸水が良い。
【００１５】
それは、墓に置いた同様の集合茎１２径を持つ従来の切花５と比較して、本実施形態では、１０日以上も長期間いきいきと切花５を消費することができた。なお、水１１には、切花５の消費を長期間とする市販栄養補助剤を混入したりすることも自由である。さらに、切花５の茎を水１１中深く浸漬するのを嫌うような根腐れを生じ易いものには、水面６の位置を下げるなりの配慮も役立つ。
図３は、水槽２の水１１中に没している差し管４の管内と管外を直径方向に結ぶ孔であって、水槽２の水１１が往来する連通孔９を有する差し管４の部分拡大図（模式図）である。水槽２の水１１が管内と管外を連通孔９を通じて往来することにより、束ねた切花５の集合茎１２の隙間に水１１が浸入し易くなる。それが前記毛管現象を助けることになり、長期間いきいきと切花５を消費することができる。
【００１６】
図４は、図２の本考案の花器１の上蓋３の右端（のみ）を上部に矢印のように開閉し、その部分から補水管１０を用いて水槽２に水１１を補給している図（模式図）である。このように上蓋３は水１１の自然蒸発を防止するとともに、上蓋３の一部を開閉するようにして容易に水１１を補給できる。もちろん、水槽３外からの水１１の補給はどのような手段であっても構わないのであって、図４はその一つの手段を示している。なお、蚊等が開放された溜まり水に発生するのを水槽２上の上蓋３で防止しているのは言うまでもない。
【産業上の利用可能性】
【００１７】
屋外で切花を生ける場合の多くは墓地であり、墓地の花器は花崗岩であるため、水の入る容積が少なく、しかも追加補給できにくいので、早く枯れてしまう。本考案の花器は、ステンレスであり、墓地のどの位置に置いても適合可能である。もちろん、屋外にかぎらず、屋内、車内等各所に置くに相応しい。
しかも、切花にかぎることなく、草木類、時には、根のある例えば万年竹等の養育にも相応しい。
【図面の簡単な説明】
【００１８】
【図１】本考案の花器の斜視図である。
【図２】本考案の差し管である。
【図３】本考案の差し管の別の実施形態である。
【図４】水槽に水を補給している図（模式図）である。
【図５】従来の花器の例である。
【図６】従来の花器の別の例である。
【図７】毛管現象の説明図である。
【符号の説明】
【００１９】
１    吸水花器
２    水槽
３    上蓋
４    差し管
５    切花
６    水面
６Ａ （差し管内）水面
９    連通孔
１１  水
５１  花器（従来例）
【図１】
0003100985.tif 000003
【図２】
0003100985.tif 000004
【図３】
0003100985.tif 000005
【図４】
0003100985.tif 000006
【図５】
0003100985.tif 000007
【図６】
0003100985.tif 000008
【図７】
0003100985.tif 000009